(57)【要約】【課題】ユニット自体を大きくすることなく、浴槽に入浴した介護が必要な被介護者を、２人の介護者が作業性よく同時に被介護者の両側から介護できるとともに、被介護者の状態に応じて容易に浴槽の配置を変更可能な浴室ユニットを提供することを目的としている。【解決手段】壁パネルで形成された浴室の内周壁が、横断面ほぼ長方形になっている浴室ユニットであって、平面視で長軸を有し、長軸方向の一端にこの長軸に直交する浴槽短辺４０ａを備える浴槽４ａが、浴槽短辺４０ａを浴室Ａの内周壁の短辺側壁面１ｂにほぼ沿わせた状態でガイド材４５にガイドされながらスライド移動可能に浴室Ａ内に設置されているとともに、少なくとも浴槽Ａの長軸を短辺側壁面１ｂの幅方向中央に一致させた状態で浴槽４ａと両長辺側壁面１ａとの間に、それぞれ浴槽４ａに入浴した被介護者を介護する介護者が入り込む介護スペースが形成されるようにした。【選択図】      図１
2014066011.tif 000002
【特許請求の範囲】
【請求項１】
壁パネルで形成された浴室の内周壁が、横断面ほぼ長方形になっている浴室ユニットであって、
平面視で長軸を有し、長軸方向の一端にこの長軸に直交する浴槽短辺を備える浴槽が、
前記浴槽短辺を浴室の内周壁の短辺側壁面にほぼ沿わせた状態でガイド手段にガイドされながらスライド移動可能に浴室内に設置されているとともに、
少なくとも浴槽の長軸を前記短辺側壁面の幅方向中央に一致させた状態で浴槽と浴室の内周壁の両長辺側壁面との間に、それぞれ浴槽に入浴した被介護者を介護する介護者が入り込む介護スペースが形成されることを特徴とする浴室ユニット。
【請求項２】
ガイド手段が、浴槽の長軸方向のほぼ両端部で浴槽をガイドするように設けられている請求項１に記載の浴室ユニット。
【請求項３】
浴槽が配置される浴槽パンと、この浴槽パンに接続される洗い場パンとを備え、
浴槽が、浴槽本体と、浴槽本体を覆うエプロン部材とを備えるとともに、
前記浴槽パンが、浴槽本体の下端部が嵌り込む浴槽受け凹部を有し、エプロン部材が洗い場パンの端面に沿うように配置されるガイド手段となるガイド片を備えている請求項２に記載の浴室ユニット。
【請求項４】
浴槽が配置される浴槽パンと、この浴槽パンに接続される洗い場パンとを備え、
浴槽が、浴槽本体と、浴槽本体の側壁を覆うように設けられた浴槽エプロンとを備えるとともに、
前記浴槽パンが、浴槽本体の下端部が嵌り込む浴槽受け凹部を有し、この浴槽受け凹部の洗い場パン側の底面に、浴槽受け凹部の底面で受けられる浴槽本体の下面から突出する浴槽脚部の壁面に沿うように短辺側壁面に平行なガイド手段となるガイド突条が突設されている請求項２に記載の浴室ユニット。
【請求項５】
短辺側壁面と長辺側壁面とのコーナーを跨ぐように配置され、一端が浴槽短辺の一端近傍の上記浴室の短辺側壁面に支持され、他端が浴室の長辺側壁面に支持された被介護者の浴槽へ跨ぎ込み介助用斜め手摺を備えている請求項１〜請求項４のいずれかに記載の浴室ユニット。
【発明の詳細な説明】
【技術分野】
【０００１】
本発明は、介護に適した浴槽ユニットに関する。
【背景技術】
【０００２】
従来、浴室ユニットは、洗い場パン及び浴槽、浴槽を受ける浴槽パン、更に洗い場パン浴槽パンとは直交して締結されている壁パネル、壁パネルと直交して締結される天井パネル等で形成されており、在来浴室と比較して防水信頼性が高いこと、組立工期が早いことから、幅広く採用がされている。
【０００３】
また、日本においては、医療の発達により、寿命が延びてきて、人口全体にしめる高齢者の割合もどんどん増えてきている。
【０００４】
しかし、寿命が延びても、年を重なるごとにどうしても足腰が弱くなり、自力歩行等ができなくなってくるため、介護が必要な老人も増加している。
かかる自力歩行ができないような老人を入浴させるのは、介護者にとって非常に難しい作業である。
【０００５】
そこで、このような介護の必要な被介護者が入浴しやすく、介護者にとっても入浴介護が容易なように、介護向けの浴室ユニットが提案されている（特許文献１）。
この浴室ユニットは、平面視長方形をした浴槽を、浴室内周壁の１つの短辺側壁面に浴槽長辺を沿わせ、浴槽の長手方向の端縁と、浴室内周壁と隙間にバスボードを掛け渡している。
【０００６】
また、この浴室ユニットは、バスボードが取り外し可能になっているとともに、浴槽が浴室内周壁の１つの短辺側壁面に沿って移動可能に構成されている。
すなわち、この浴室ユニットにおいては、被介護者を入浴させるにあたって、例えば、入浴する被介護者を介護者が２人がかりで、あるいは、車椅子に載せて浴室内に案内し、まず、バスボード上に腰掛けさせて、安定した姿勢にしながら、浴槽外にある足を持ち上げて浴槽内に跨ぎ込ませた後、入浴させることができる。
しかも、バスボードが取り外せるとともに、取り外した状態で浴槽をスライド移動させることができるようになっているので、被介護者に応じて適した浴槽位置にすることができる。
【先行技術文献】
【特許文献】
【０００７】
【特許文献１】特開2004-173703号公報
【発明の開示】
【発明が解決しようとする課題】
【０００８】
しかしながら、上記浴室ユニットの場合、介護者は、浴室壁面に接していない一方の浴槽長辺側からしか介護作業を行うことができない。
したがって、２人で介護しなければならない場合においても、２人の介護者が同じ側からしか介護することができず、満足な介助を行うことができない。
【０００９】
また、浴槽外に被介護者を出す場合、バスボードを取り外せば、浴槽短辺側にも介護者が入るスペースを確保できるが、バスボードの着脱が面倒であるとともに、被介護者を２人で浴槽短辺の両側から支えることは一人が被介護者の頭側から、一人が被介護者の足元側からの介助となり、バランスが悪く困難であり、被介護者に不安感を与えるおそれがあるとともに、大柄で障害が重度の被介護者の場合、入浴介護できないおそれがある。
【００１０】
また、自宅で入浴介護できないような一人暮らしの老人も増え、デイサービスなどを行う介護施設も増えてきているが、一般家屋を改造したような規模の小さい介護施設を多く存在する。
大きな介護施設では、浴室も大きくとれるのであるが、上記のような小規模介護施設では、浴室を広くとれないため、上記のようにバスバードを取り外しても介護スペースを十分とれない場合がある。
【００１１】
そこで、上記事情に鑑みて、ユニット自体を大きくすることなく、浴槽に入浴した介護が必要な被介護者を、２人の介護者が作業性よく同時に被介護者の両側から介護できるとともに、被介護者の状態に応じて容易に浴槽の配置を変更可能な浴室ユニットを提供することを目的としている。
【課題を解決するための手段】
【００１２】
上記目的を達成するために、本発明にかかる浴室ユニット（以下、「本発明の浴室ユニット」と記す）は、壁パネルで形成された浴室の内周壁が、横断面ほぼ長方形になっている浴室ユニットであって、平面視で長軸を有し、長軸方向の一端にこの長軸に直交する浴槽短辺を備える浴槽が、前記浴槽短辺を浴室の内周壁の短辺側壁面にほぼ沿わせた状態でガイド手段にガイドされながらスライド移動可能に浴室内に設置されているとともに、少なくとも浴槽の長軸を前記短辺側壁面の幅方向中央に一致させた状態で浴槽と浴室の内周壁の両長辺側壁面との間に、それぞれ浴槽に入浴した被介護者を介護する介護者が入り込む介護スペースが形成されることを特徴としている。
【００１３】
本発明において、ほぼ長方形とは、コーナー部が直角になっているものだけでなく少し湾曲したものなどを含むことを意味する。
なお、上記介護スペースの幅（浴槽と長辺側壁面との距離）は、介護者が入ることができれば、特に限定されないが、両介護スペースの合計幅が、１００ｃｍ以上とすることが好ましく、１２０ｃｍ以上とすることがより好ましく、１３０ｃｍ以上とすることがさらに好ましい。
【００１４】
本発明の浴室ユニットは、ガイド手段が、浴槽の長軸方向のほぼ両端部で浴槽をそれぞれガイドするように設けられていることが好ましい。
なお、ほぼ両端部とは、少なくともいずれか一方のガイド手段が、浴槽の長軸方向の端縁から他方の端縁方向に少し入った位置をガイドすることも含むことを意味する。
【００１５】
なお、浴槽の長軸方向のほぼ両端部で浴槽をガイドする構成としては、浴槽が配置される浴槽パンと、この浴槽パンに接続される洗い場パンとを備え、浴槽が、浴槽本体と、浴槽本体を覆うエプロン部材とを備えるとともに、前記浴槽パンが、浴槽本体の下端部が嵌り込む浴槽受け凹部を有し、エプロン部材が洗い場パンの端面に沿うように配置されるガイド手段となるガイド片を備えている構成、あるいは、浴槽が配置される浴槽パンと、この浴槽パンに接続される洗い場パンとを備え、浴槽が、浴槽本体と、浴槽本体の側壁を覆うように設けられた浴槽エプロンとを備えるとともに、前記浴槽パンが、浴槽本体の下端部が嵌り込む浴槽受け凹部を有し、この浴槽受け凹部の洗い場パン側の底面に、浴槽受け凹部の底面で受けられる浴槽本体の下面から突出する浴槽脚部の壁面に沿うように短辺側壁面に平行なガイド手段となるガイド突条が突設されている構成が挙げられる。
【００１６】
さらに、本発明の浴室ユニットは、短辺側壁面と長辺側壁面とのコーナーを跨ぐように配置され、一端が浴槽短辺の一端近傍の上記浴室の短辺側壁面に支持され、他端が浴室の長辺側壁面に支持された被介護者の浴槽へ跨ぎ込み介助用斜め手摺を備えている構成としてもよい。
【００１７】
また、上記跨ぎ込み介助用斜め手摺は、特に限定されないが、たとえば、短辺側壁面と長辺側壁面とにそれぞれ垂直方向に設けられた縦手摺に端部をそれぞれ垂直方向にスライド自在に支持させ、高さを変更可能にしてもよい。
すなわち、上記のようにすれば、被介護者の身長や身体的特徴に応じて高さを合わせることができるとともに、浴室のコーナー部を清掃するときなど邪魔になるときは高所にスライドさせて斜め手摺を避けて作業を行うことができる。
【発明の効果】
【００１８】
本発明の浴室ユニットは、以上のように、壁パネルで形成された浴室の内周壁が、横断面ほぼ長方形になっている浴室ユニットであって、平面視で長軸を有し、長軸方向の一端にこの長軸に直交する浴槽短辺を備える浴槽が、前記浴槽短辺を浴室の内周壁の短辺側壁面にほぼ沿わせた状態でガイド手段にガイドされながらスライド移動可能に浴室内に設置されているとともに、少なくとも浴槽の長軸を前記短辺側壁面の幅方向中央に一致させた状態で浴槽と浴室の内周壁の両長辺側壁面との間に、それぞれ浴槽に入浴した被介護者を介護する介護者が入り込む介護スペースが形成されるように構成されているので、必要に応じて両浴槽長辺側に介護者が入り込む介護スペースを確保できる。
すなわち、被介護者の入浴介護を行う場合、２人の介護者が、被介護者の両側から介護でき、重度の障害者を入浴させる場合においても満足な介護作業を行うことができるとともに、被介護者にも安心感を与えることができる。
【００１９】
また、浴槽がスライド移動可能になっているので、不自由な箇所の異なる複数の被介護者に各被介護者に応じて適合した位置に浴槽を持ってくることができ、満足な介護作業を行うことができる。
【００２０】
さらに、ガイド手段が、上記浴槽短辺が沿う短辺側壁面側のみでなく、すなわち、浴槽の長軸方向の一端部だけでなく、長軸方向のほぼ両端部でガイドするように設けられている構成とすれば、浴槽がよりスムーズにスライド移動できる。
【００２１】
また、短辺側壁面と長辺側壁面とのコーナーを跨ぐように配置され、一端が浴槽短辺の一端近傍の上記浴室の短辺側壁面に支持され、他端が浴室の長辺側壁面に支持された被介護者の浴槽へ跨ぎ込み介助用斜め手摺を備えている構成とすれば、手摺を持つことで十分に自身で体を支えながら歩行できるとともに、浴槽への立位での跨ぎ込みもできる軽度の障害の被介護者が、介護者のサポートなしで安全に浴槽の框部を跨いで入浴できる。しかも、斜め手摺がコーナーを跨ぐように設けられているので、斜め手摺がなく、コーナーを挟んで設けられた垂直手摺や水平手摺を持ちながら浴槽の縁まで壁面に沿って伝い歩きする場合に比べ、歩行距離が短くすみ、被介護者にとってやさしく安全性が高くなる。
【図面の簡単な説明】
【００２２】
【図１】本発明の浴室ユニットの第１の実施の形態をあらわす浴室内を天井側からみた斜視図である。
【図２】図１の浴室ユニットの浴槽設置部分の斜視図である。
【図３】図１のＸ−Ｘ断面の要部拡大図である。
【図４】図１のＹ−Ｙ断面の要部拡大図である。
【図５】図１の浴室ユニットの、浴槽を浴槽パンの浴槽受け凹部に設置した状態を洗い場側からみた図である
【図６】図１の浴室ユニットの浴槽パンをあらわし、同図（ａ）は平面図、同図（ｂ）は正面図である。
【図７】図１の浴室ユニットの浴槽を移動させた状態を浴室内を天井側からみた斜視図である。
【図８】図１の浴室ユニットの浴槽に入浴する直前の被介護者の姿勢の一例を説明する平面図である。
【図９】図１の浴室ユニットの浴槽への被介護者の入浴姿勢の一例を説明する平面図である。
【図１０】図１の浴室ユニットの浴槽への被介護者を介護者が引き上げる方法を説明する平面図である。
【図１１】図１の浴室ユニットの浴槽への被介護者の入浴姿勢の一例を説明する平面図である。
【図１２】本発明の浴室ユニットの第２の実施の形態のガイド手段を説明する要部断面図である。
【図１３】本発明の浴室ユニットの第３の実施の形態の浴室内を天井側から見た平面図である。
【図１４】従来の浴室ユニットの１例をあらわす平面図である。
【図１５】従来の浴室ユニットの他の例をあらわす平面図である。
【発明を実施するための最良の形態】
【００２３】
以下に、本発明を、その実施の形態をあらわす図面を参照しつつ詳しく説明する。
図１は、本発明の浴室ユニットの第１の実施の形態をあらわしている。
【００２４】
図１に示すように、この浴室ユニットは、浴室Ａが平面視長方形をしていて、床が洗い場パン２と、浴槽パン３とを連結することによって形成されている。
また、周壁の２つの長辺側壁面１ａと、一方の短辺側壁面１ｂとは、図ではあらわれていないが、それぞれ複数枚の壁パネルが洗い場パン２および浴槽パン３の周縁部に下端部が支えられた状態で立設されて形成されている。また、もう一方の短手側壁面１ｃは、ドア枠あるいはドア枠と壁パネルが洗い場パン２の周縁部に下端部が支えられた状態で立設されて形成されている。
【００２５】
これら周壁を構成する壁パネルおよびドア枠の上端には、図示していないが、浴室Ａの天井面を形成する天井パネルが支持されている。
長辺側壁面１ａおよび短辺側壁面１ｂには、複数の手摺１１が握り部が垂直方向あるいは水平方向を向けて固定されている。
【００２６】
浴槽パン３上には、図１および図２に示すように、浴槽４ａが、平面視で長軸方向の一方の浴槽短辺４０ａが短辺側壁面１ｂにほぼ接するように設置されている。
また、浴槽パン３は、図４〜図６に示すように、浴室Ａの床の一部を構成する床面構成部３０と、浴槽受け凹部３１と、図１、図２、図５、図７に示すように、２枚のサイドボード５を備えている。
【００２７】
一方、浴槽４ａは、図１および図２に示すように、浴槽４ａの長軸に直交する浴槽短辺４０ａを一側に有し、浴槽短辺４０ａの両端から長軸方向に平行に設けられた浴槽長辺部４０ｂを備え、少なくとも浴槽本体４１と、エプロン部材４３と、蓋部材４４とから構成されている。
浴槽本体４１は、その下端部が浴槽受け凹部３１内に嵌りこむとともに、浴槽本体４１の下端から突出する４本（図では１本または２本しかあらわれていない）の脚部４６が浴槽受け凹部３１の底面に受けられている。
【００２８】
浴槽本体４１の浴槽受け凹部３１内に嵌り込む部分の幅（短辺側壁面１ｂの水平方向の幅）は、浴槽受け凹部３１の幅より狭く形成されている。
すなわち、浴槽４ａは、浴槽本体４１の浴槽受け凹部３１内に嵌り込む部分の幅と浴槽受け凹部３１の幅との寸法差分だけ短辺側壁面１ｂの水平方向にスライド移動可能になっている。
【００２９】
また、この浴槽４ａは、図５に示すように、浴槽４ａを長軸を短辺側壁面１ｂの幅方向の中心位置に一致させるように配置した状態（以下、「中央位置」と記す）では、両浴槽長辺部４０ｂと長辺側壁面１ａの距離Ｌ１の合計が１００ｃｍ以上となるように浴槽長辺部４０ｂの幅が決定されている。
【００３０】
また、浴槽本体４１は、浴槽短辺４０ａに対して長軸側の他側に図８〜図１１に示すように幅広框部４１ｃが設けられている。幅広框部４１ｃは、外縁が、浴槽の長軸に対して線対称の外側に凸となる湾曲形状に設けられ、平面視できのこの傘状をしている。
さらに、浴槽本体４１には、図１０および図１１に示すように幅広框部４１ｃ側に腰掛け部４１ｂが設けられている。
【００３１】
腰掛け部４１ｂは、腰掛面が、浴槽底面２０から１０〜２０ｃｍの高さに形成されていて、その幅方向の寸法が３８〜５０ｃｍである。
腰掛け部４１ｂは、不使用時には蓋部材４４によって覆い隠されている。
【００３２】
蓋部材４４は、断面略Ｌの字形をしていて、腰掛け部４１ｂに嵌りこんでその上面が浴槽本体４１の框部上面とほぼ面一となるとともに、側面が浴槽４aの湯船内壁面と面一になるようになっている。
また、蓋部材４４の側面部分には、指掛け孔４４ａが穿設されている。
【００３３】
そして、この浴槽本体４１は、浴槽短辺４ｂが短辺側壁面１ｂに沿った状態を保ちながらスムーズに浴槽４ａスライド移動できるように、浴槽短辺４０ａ側が図１に示すようにガイド手段としての２つのガイド材４５によってガイドされるようになっている。
すなわち、ガイド材４５は、図３に示すように、ビス４５ａによって短辺側壁面１ｂに固定されて、短辺側壁面１ｂとの間にガイド溝Ｓ１が形成され、浴槽本体４１のフランジ４１ｄがこのガイド溝Ｓ１に嵌ることによって浴槽本体４１をガイドするようになっている。
【００３４】
上述のサイドボード５は、浴槽本体４１の浴槽受け凹部３１内に嵌り込む部分の幅と浴槽受け凹部３１の幅との寸法差のほぼ半分の幅をしているとともに、浴槽凹部３１にはめ込まれた状態でその上面が床面構成部３０と面一となるようになっている。
そして、２枚のサイドボード５は、図１、図２、図５に示すように、浴槽４ａを長軸を短辺側壁面１ｂの幅方向の中心位置に一致させるように配置した状態では、浴槽本体４１を両側から挟むように浴槽受け凹部３１に嵌合され、図７に示すように、浴槽４ａを一方の長辺側壁面１ａ側にスライド移動させた状態で、他方の長辺側壁面１ａ側で２枚並べて浴槽受け凹部３１に嵌合されるようになっている。
【００３５】
エプロン部材４３は、浴槽本体４１の残りの部分を浴室Ａ内から直接視認できないように覆うとともに、下端が床面構成部３０あるいは後述するサイドボード５に受けられている。
また、エプロン部材４３は、ドアが設けられた短辺側壁面１ｃと向き合う部分の中央部に、図４に示すように、洗い場パン２の端面に沿うようにもう１つのガイド手段としてのガイド片４３ｂを備えている。
すなわち、ガイド片４３ｂが、浴槽４ａを短辺側壁面１ｂに沿う方向に移動させる際に、洗い場パン２の端面によって短辺側壁面１ｂに平行にガイドされるようになっている。
図４中、２１は排水口、２２は排水口２１の蓋、２３は排水トラップ、３３は浴槽パン３を支持する架台である。
【００３６】
次に、図８〜図９を用いて被介護者Ｐを入浴させる方法の１例を説明する。
すなわち、車椅子等で浴室Ａ内まで案内した介護者（図示せず）が被介護者Ｐの体を支えながら、被介護者Ｐを浴槽４ａを後ろにして幅広框部４１ｃに一旦腰を掛けさせる。
【００３７】
続いて、体を支えながら体を回転させて足を浴槽４ａ内に臨むように姿勢を換えたのち、図８に示すように、腰を蓋部材４４の上面に乗せる。
そして、２人の介護者が浴槽４ａの両側に形成された介護スペースに入り、両側から被介護者Ｐの体を支えながら、図９に示すように、被介護者Ｐを入浴させる。
【００３８】
一方、入浴が終わると、浴槽４ａの両側にいる２人の介護者が両側から被介護者Ｐの体を支えながら、被介護者Ｐを引き上げ、図８に示すように、蓋部材４４上に腰を掛けさせたのち、体を支えながら体を回転させて足を浴槽４ａ外に出して車椅子等に乗せる。
また、この浴槽４ａの場合、腰掛け部４１ｂを備えているので、被介護者Ｐの状態によっては、一人の介護者で以下のようにして入浴後、被介護者Ｐを浴槽４ａから引き上げることができる。
【００３９】
すなわち、介護者が、蓋部材４４の指掛け孔４４ａに指を掛けて蓋部材４４を図１０に示すように取り除いたのち、介護者が、入浴している被介護者Ｐの背面から脇の下に手をいれ、図示していないが、一旦腰掛け部４１ｂに被介護者Ｐが腰掛けるようにＹ方向に引き上げたのち、図１１に示すように、腰掛け部４１ｂからさらにＸ方向あるいはＺ方向に引き上げ、幅広框部４１ｃに被介護者Ｐを腰掛させる。
このような引き上げ方法にすれば、まず、浮力を利用して浴槽底面４１ａより高い位置である腰掛け部４１ｂまで被介護者Ｐを引き上げ、介護者が楽な姿勢になったのち、第２引き上げ動作を実施して被介護者を框面に腰掛けるようにできるので、介護者が一人であっても無理な姿勢で大きな力を一気に加えることがなくなり、介護者への負担が軽減できるともに、介護者がバランスを崩したりすることが少なくなるため、結果として被介護者の安全性が高まる。
【００４０】
上記のように、この浴室ユニットは、浴槽４ａの浴槽短辺４０ａが短辺側壁面１ｂにほぼ接した状態で配置されるとともに、浴槽短辺４０ａが短辺側壁面１ｂに沿った状態でスライド移動可能になっているので、浴槽４ａを中央位置になるようにスライドさせれば、浴槽の両側の長辺側壁面１ａとの間に介護者が入るのに十分な広さの介護スペースを確保できる。
したがって、介護者が二人で満足のできる介護を行うことができる。
【００４１】
また、浴槽４が浴槽短辺４０ａ側だけでなく、洗い場パン２側でもガイドされるようになっているので、浴槽４ａのスライド移動がスムーズになる。
さらに、図７に示すように、浴槽４ａを中央位置より、一方の長辺側壁面１ａ方向に移動させておけば、他方の長辺側壁面１ａとの間に広い介護スペースが確保でき、例えば、リフトなどの機器を置くことも可能となる。
【００４２】
図１２は、本発明の浴室ユニットの第２の実施の形態をあらわしている。
図１２に示すように、この浴室ユニットの場合、上記エプロン部材４３のガイド片４３ｂに代えて、長軸方向他側のガイド手段として浴槽受け凹部３１の底に脚部４６に沿うようにガイド突条３４を短辺側壁面１ｂに平行に設けるようにした以外は、上記浴室ユニットと同様になっている。
なお、上記ガイド突条３４は、浴槽パン３の成形と同時に設けても後付けでも構わない。
【００４３】
図１３は、本発明の浴室ユニットの第３の実施の形態をあらわしている。
図１３に示すように、この浴室ユニットは、浴室Ｂの短辺側壁面１ｂと長辺側壁面１ａとのコーナーを跨ぐように配置され、一端が浴槽短辺４０ａの一端近傍の短辺側壁面１ｂに固定され、他端が浴室の長辺側壁面１ａに固定された浴槽４ｂへ跨ぎ込み介助用斜め手摺１２を備えている以外は、上記の浴室ユニットと同様になっている。
【００４４】
この浴室ユニットのように、跨ぎ込み介助用斜め手摺１２を設ければ、手摺を持つことで十分に自身で体を支えながら歩行できるとともに、浴槽４ａへの立位での跨ぎ込みもできる軽度の障害の被介護者が、介護者のサポートなしで安全に浴槽４ａの框部を跨いで入浴できる。しかも、手摺につかまったまま後ろ向きに浴槽に腰掛けて、体の向きを変えて座り跨ぎすることもない。
また、斜め手摺１１が短辺側壁面１ｂと長辺側壁面１ａとのコーナーを跨ぐように設けられているので、斜め手摺１１がなく、コーナーを挟んで設けられた垂直手摺や水平手摺を持ちながら浴槽４ａの縁まで壁面に沿って伝い歩きする場合に比べ、歩行距離が短くすみ、被介護者にとってやさしく安全性が高くなる。
【００４５】
なお、この斜め手摺は、本発明のように浴槽の両側に介護スペースがある浴室ユニットだけでなく、浴槽の一方と長辺側壁面との間に介護スペースがある浴槽がスライド移動しないような構造の浴室ユニットに用いるようにしても構わない。
【００４６】
つぎに、上記実施例１としての図１の浴室ユニット、実施例２としての図１２の浴室ユニット、実施例３としての図１の浴室ユニットにおいてガイド片４３ｂを設けなかったもの、比較例１としての図１４に示す浴槽１１０の浴槽長辺が短辺側壁面に沿ってスライドする浴室ユニット１００、比較例２としての図１５に示す浴槽２１０が固定された浴室ユニット２００のそれぞれについて、評価した結果を表１に示す。
【００４７】
【表１】
2014066011.tif 000003
【００４８】
本発明は、上記の実施の形態に限定されない。たとえば、上記の実施の形態では、ガイド材が２つ設けられていたが、１つでも構わないし、３つ以上でも構わない。
上記の実施の形態では、被介護者が腰掛け部側を背にして浴槽に入浴するようにしていたが、短辺側壁面側を背にして浴槽に入浴するようにしても構わない。
【符号の説明】
【００４９】
Ａ，Ｂ  浴室
１ａ  長辺側壁面
１ｂ，１ｃ  短辺側壁面
１１  手摺
１２  介助用斜め手摺
２  洗い場パン
３  浴槽パン
３０  床構成部
３１  浴槽受け凹部
３４  ガイド突条（ガイド手段）
４ａ  浴槽
４０ａ  浴槽短辺
４０ｂ  浴槽長辺部
４１  浴槽本体
４３  エプロン部材
４３ｂ  ガイド片（ガイド手段）
４４  蓋部材
４５  ガイド材（ガイド手段）
５  サイドボード
Ｐ  被介護者
【図１】
2014066011.tif 000004
【図２】
2014066011.tif 000005
【図３】
2014066011.tif 000006
【図４】
2014066011.tif 000007
【図５】
2014066011.tif 000008
【図６】
2014066011.tif 000009
【図７】
2014066011.tif 000010
【図８】
2014066011.tif 000011
【図９】
2014066011.tif 000012
【図１０】
2014066011.tif 000013
【図１１】
2014066011.tif 000014
【図１２】
2014066011.tif 000015
【図１３】
2014066011.tif 000016
【図１４】
2014066011.tif 000017
【図１５】
2014066011.tif 000018